(57)【要約】【課題】  記録再生装置の設置場所に基づいてテレビ放送の受信チャンネルを設定することができ、記録再生装置が設置場所から移動された場合、記録再生装置の所在地をユーザに通知することができるようにする。【解決手段】  記録再生装置の設置場所の位置情報をＧＰＳにより受信し、受信された位置情報に基づいてその設置場所でテレビ放送の受信可能なチャンネルテーブルを読み出して、記録再生装置のテレビ放送の受信チャンネルを設定し、コンセントからの商用交流電力の供給の有無を検出して、停電が検出されたとき、充電式電池から電力を供給して記録再生装置の電源をバックアップし、記録再生装置の所在地の位置情報をＧＰＳにより受信して、記録再生装置が設置場所から移動されたか否かを判別し、記録再生装置が設置場所から移動されたと判別されたとき、記録再生装置の所在地の位置情報をＧＰＳにより受信して、記録再生装置の所在地の位置情報を送信するようにする。【選択図】        図１
2006217136.tif 000002
【特許請求の範囲】
【請求項１】
記録媒体にテレビ放送番組を記録再生する記録再生装置であって、
複数の地域毎の受信可能なテレビ放送のチャンネルテーブルが格納された記憶手段と、記録再生装置の設置場所の位置情報をＧＰＳにより受信する受信手段と、前記受信手段により受信された位置情報に基づいてその設置場所で受信可能なテレビ放送のチャンネルテーブルを前記記憶手段から読み出し、記録再生装置のテレビ放送の受信チャンネルを設定する設定手段と、コンセントからの商用交流電力の供給の有無を検出する停電検出手段と、前記停電検出手段により停電が検出されたとき、充電式電池から電力を供給して記録再生装置の電源をバックアップするバックアップ電源手段と、記録再生装置の所在地の位置情報をＧＰＳにより受信して、記録再生装置が設置場所から所定距離以上移動されたか否かを判別する判別手段と、前記判別手段により記録再生装置が設置場所から所定距離以上移動されたと判別されたとき、所定時間経過する毎に、記録再生装置の所在地の位置情報をＧＰＳにより受信して、記録再生装置の所在地の位置情報を送信する送信手段と、前記送信手段により記録再生装置の所在地の位置情報を送信する送信モードをＯＦＦにするユーザにより予め設定されたパスワードを入力する入力手段と、前記送信手段により記録再生装置の所在地の位置情報を送信する送信モードをＯＮにする記録再生装置のシステムをリセットするリセット手段とを備えたことを特徴とする記録再生装置。
【請求項２】
記録媒体にテレビ放送番組を記録再生する記録再生装置であって、
複数の地域毎の受信可能なテレビ放送のチャンネルテーブルが格納された記憶手段と、記録再生装置の設置場所の位置情報をＧＰＳにより受信する受信手段と、前記受信手段により受信された位置情報に基づいてその設置場所で受信可能なテレビ放送のチャンネルテーブルを前記記憶手段から読み出し、記録再生装置のテレビ放送の受信チャンネルを設定する設定手段と、コンセントからの商用交流電力の供給の有無を検出する停電検出手段と、前記停電検出手段により停電が検出されたとき、充電式電池から電力を供給して記録再生装置の電源をバックアップするバックアップ電源手段と、記録再生装置の所在地の位置情報をＧＰＳにより受信して、記録再生装置が設置場所から移動されたか否かを判別する判別手段と、前記判別手段により記録再生装置が設置場所から移動されたと判別されたとき、記録再生装置の所在地の位置情報をＧＰＳにより受信して、記録再生装置の所在地の位置情報を送信する送信手段とを備えたことを特徴とする記録再生装置。
【請求項３】
前記判別手段は、記録再生装置の所在地の位置情報をＧＰＳにより受信し、記録再生装置が設置場所から所定距離以上移動されたか否かを判別して、記録再生装置が設置場所から移動されたか否かを判別する判別手段であることを特徴とする請求項２記載の記録再生装置。
【請求項４】
前記送信手段は、前記判別手段により記録再生装置が設置場所から移動されたと判別されたとき、所定時間経過する毎に、記録再生装置の所在地の位置情報をＧＰＳにより受信して、記録再生装置の所在地の位置情報を送信する送信手段であることを特徴とする請求項２記載の記録再生装置。
【請求項５】
前記送信手段により記録再生装置の所在地の位置情報を送信する送信モードをＯＦＦにするユーザにより予め設定されたパスワードを入力する入力手段を更に備えたことを特徴とする請求項２記載の記録再生装置。
【請求項６】
前記送信手段により記録再生装置の所在地の位置情報を送信する送信モードをＯＮにする記録再生装置のシステムをリセットするリセット手段を更に備えたことを特徴とする請求項２記載の記録再生装置。
【発明の詳細な説明】
【技術分野】
【０００１】
本発明は、記録媒体に映像音声信号を記録再生する記録再生装置に係り、特に記録再生装置の設置場所の位置情報に基づいて受信可能なテレビ放送の受信チャンネルを設定することができ、記録再生装置が設置場所から移動された場合に、記録再生装置の所在地の位置情報を発信することができる記録再生装置に関する。
【背景技術】
【０００２】
従来、テレビ放送を受信して記録媒体にテレビ放送番組を記録再生する記録再生装置を設置し、記録再生装置のテレビ放送の受信チャンネルを設定する場合、オートサーチ又はマニュアルサーチ等によりテレビ放送の受信チャンネルをユーザが設定する必要があった。オートサーチによりテレビ放送の受信チャンネルを設定する場合、全チャンネルがサーチされて、所定の電界強度以上の受信可能なチャンネルがサーチされるため、受信チャンネルの設定が完了するまでに時間がかかり、受信チャンネルの設定が完了しても電界強度が弱くスノーノイズが多く画面が見ずらいチャンネルまで受信チャンネルとして設定されるため、オートサーチによる受信チャンネルの設定完了後に、ユーザがスノーノイズの多く画面が見ずらいチャンネルを受信しないように設定を変更しなければならないという問題点があった。また、ユーザが外出先から帰宅したときになどに、所定の位置に設置しておいた記録再生装置がなくなっている場合、その記録再生装置が盗難にあったのか、家族が別の部屋に移動させたのかどうかということがわからないという問題点があった。
背景技術としては、録画再生装置の設置時に、ＧＰＳ（Ｇｌｏｂａｌ  Ｐｏｓｉｔｉｏｎｉｎｇ  Ｓｙｓｔｅｍ）アンテナから算出された地域、入力された電話番号の市外局番又は郵便番号から割り出した地域のチャンネル構成を候補として表示し、表示された候補チャンネルを選択させて受信チャンネルを設定するようにしたものがあった（例えば、特許文献１参照）。
また、現在地を検出し、複数の放送地域の各放送局により行われている各テレビ放送の放送局情報をネットワークに接続して受信し、現在地及び放送局情報に基づいて複数の放送地域を跨いで移動する際にチューナの設定を更新するようにしたものがあった（例えば、特許文献２参照）。
また、基地局からの位置情報を受信して、受信した位置情報を基に地域コードを照合して受信可能なテレビ放送のチャンネルを表示し、表示されたチャンネルの中から希望のチャンネルを選択してテレビ放送を受信するようにしたものがあった（例えば、特許文献３参照）。
また、自動車にＧＰＳ受信機を取り付けておいて、開始会社がＧＰＳ受信機の位置を監視し、自動車が盗難にあったとき、自動車に取り付けられたＧＰＳ受信機を追跡することによって盗難された自動車を発見しやすくするようにしたものがあった（例えば、特許文献４参照）。
【特許文献１】特開２００２−２０９１６６号公報
【特許文献２】特開２００３−２３５７７号公報
【特許文献３】特開２００３−３０９７７４号公報
【特許文献４】特開２００２−２４３６６号公報
【発明の開示】
【発明が解決しようとする課題】
【０００３】
しかしながら、背景技術で述べたもののうち最初のものにおいては、録画再生装置の設置時に、ＧＰＳアンテナから算出された地域、入力された電話番号の市外局番又は郵便番号から割り出した地域のチャンネル構成を候補として表示し、表示された候補チャンネルを選択させて受信チャンネルを設定することができたが、録画再生装置が設置場所から移動された場合、録画再生装置の所在地をユーザに通知するようにしたものではなかった。
また、次のものにおいては、現在地を検出し、複数の放送地域の各放送局により行われている各テレビ放送の放送局情報をネットワークに接続して受信し、現在地及び放送局情報に基づいて複数の放送地域を跨いで移動する際にチューナの設定を更新することができたが、携帯電話によりネットワークを介して放送局情報を受信し、テレビ受信装置のチューナの設定を更新するようにしたもので、テレビ受信装置が設置場所から移動された場合、テレビ受信装置の所在地をユーザに通知するようにしたものではなかった。
また、更にその次のものにおいては、基地局からの位置情報を受信して、受信した位置情報を基に地域コードを照合して受信可能なテレビ放送のチャンネルを表示し、表示されたチャンネルの中から希望のチャンネルを選択してテレビ放送を受信することができたが、携帯端末装置で受信可能なテレビ放送のチャンネルを選択してテレビ放送を受信するようにしたものであって、記録再生装置が設置場所から移動された場合、記録再生装置の所在地をユーザに通知するようにしたものではなかった。
また、更にその次のものにおいては、自動車にＧＰＳ受信機を取り付けておいて、開始会社がＧＰＳ受信機の位置を監視し、自動車が盗難にあったとき、自動車に取り付けられたＧＰＳ受信機を追跡することによって盗難された自動車を発見しやすくすることができたが、ユーザが自動車の盗難にあった旨をサービス提供会社に連絡しなければ、自動車に取りつけられたＧＰＳ受信機が追跡されず、また、送信電力を抑制するようになっていなかったため、電池容量の小さな電池で長時間にわたって位置情報を送信し続けることができないという問題点があった。
本発明は、背景技術の有するこのような問題点に鑑みてなされたものであり、その目的とするところは、記録再生装置の設置場所に基づいてテレビ放送の受信チャンネルを設定することができ、記録再生装置が設置場所から移動された場合、記録再生装置の所在地をユーザに通知することができる記録再生装置を提供しようとするものである。
【課題を解決するための手段】
【０００４】
上記目的を達成するため本発明においては、記録媒体にテレビ放送番組を記録再生する記録再生装置であって、複数の地域毎の受信可能なテレビ放送のチャンネルテーブルが格納された記憶手段と、記録再生装置の設置場所の位置情報をＧＰＳにより受信する受信手段と、前記受信手段により受信された位置情報に基づいてその設置場所で受信可能なテレビ放送のチャンネルテーブルを前記記憶手段から読み出し、記録再生装置のテレビ放送の受信チャンネルを設定する設定手段と、コンセントからの商用交流電力の供給の有無を検出する停電検出手段と、前記停電検出手段により停電が検出されたとき、充電式電池から電力を供給して記録再生装置の電源をバックアップするバックアップ電源手段と、記録再生装置の所在地の位置情報をＧＰＳにより受信して、記録再生装置が設置場所から移動されたか否かを判別する判別手段と、前記判別手段により記録再生装置が設置場所から移動されたと判別されたとき、記録再生装置の所在地の位置情報をＧＰＳにより受信して、記録再生装置の所在地の位置情報を送信する送信手段とを備える。
前記判別手段は、記録再生装置の所在地の位置情報をＧＰＳにより受信して、記録再生装置が設置場所から所定距離以上移動されたか否かを判別して、記録再生装置が設置場所から移動されたか否かを判別するようにするとよい。
前記送信手段は、前記判別手段により記録再生装置が設置場所から移動されたと判別されたとき、所定時間経過する毎に、記録再生装置の所在地の位置情報をＧＰＳにより受信して、記録再生装置の所在地の位置情報を送信するようにするとよい。
前記送信手段により記録再生装置の所在地の位置情報を送信する送信モードをＯＦＦにするユーザにより予め設定されたパスワードを入力する入力手段を更に備える。
前記送信手段により記録再生装置の所在地の位置情報を送信する送信モードをＯＮにする記録再生装置のシステムをリセットするリセット手段を更に備える。
これらの手段により、記録再生装置の設置場所に基づいてテレビ放送の受信チャンネルを設定することができ、記録再生装置が設置場所から移動された場合、記録再生装置の所在地をユーザに通知することができる。
【発明の効果】
【０００５】
請求項１記載の発明に係る記録再生装置によれば、記録再生装置の設置場所の位置情報をＧＰＳにより受信し、受信された位置情報に基づいて複数の地域毎の受信可能なテレビ放送のチャンネルテーブルからその設置場所で受信可能なテレビ放送のチャンネルテーブルを読み出して、記録再生装置のテレビ放送の受信チャンネルを設定し、コンセントからの商用交流電力の供給の有無を検出して、停電が検出されたとき、充電式電池から電力を供給して記録再生装置の電源をバックアップし、記録再生装置の所在地の位置情報をＧＰＳにより受信して、記録再生装置が設置場所から所定距離以上移動されたか否かを判別し、記録再生装置が設置場所から所定距離以上移動されたと判別されたとき、所定時間経過する毎に、記録再生装置の所在地の位置情報をＧＰＳにより受信して、記録再生装置の所在地の位置情報を送信するようにしているので、記録再生装置の設置場所に基づいてテレビ放送の受信チャンネルを設定することができ、記録再生装置が設置場所から所定距離以上移動された場合、記録再生装置の所在地をユーザに通知することができ、充電式電池の消費電力を抑制して、記録再生装置の所在地の位置情報を長時間にわたってユーザに通知することができる。また、ユーザにより予め設定されたパスワードを入力することにより、記録再生装置の所在地の位置情報を送信する送信モードをＯＦＦにするようにしているので、引越し等で記録再生装置を他の場所に移動させる場合、ユーザが予め設定したパスワードを入力することにより、記録再生装置が移動された場合に、記録再生装置の所在地の位置情報を送信する送信モードをＯＦＦにすることができる。また、記録再生装置のシステムをリセットすることにより、記録再生装置の所在地の位置情報を送信する送信モードをＯＮにするようにしているので、記録再生装置を設置場所に設置した後、記録再生装置が移動されたとき、記録再生装置の所在地の情報を送信して、記録再生装置の所在地をユーザに通知することができる。
請求項２記載の発明に係る記録再生装置によれば、記録再生装置の設置場所の位置情報をＧＰＳにより受信し、受信された位置情報に基づいて複数の地域毎の受信可能なテレビ放送のチャンネルテーブルからその設置場所で受信可能なテレビ放送のチャンネルテーブルを読み出して、記録再生装置のテレビ放送の受信チャンネルを設定し、コンセントからの商用交流電力の供給の有無を検出して、停電が検出されたとき、充電式電池から電力を供給して記録再生装置の電源をバックアップし、記録再生装置の所在地の位置情報をＧＰＳにより受信して、記録再生装置が設置場所から移動されたか否かを判別し、記録再生装置が設置場所から移動されたと判別されたとき、記録再生装置の所在地の位置情報をＧＰＳにより受信して、記録再生装置の所在地の位置情報を送信するようにしているので、記録再生装置の設置場所に基づいてテレビ放送の受信チャンネルを設定することができ、記録再生装置が設置場所から移動された場合、記録再生装置の所在地をユーザに通知することができる。
請求項３記載の発明に係る記録再生装置によれば、記録再生装置の所在地の位置情報をＧＰＳにより受信して、記録再生装置が設置場所から所定距離以上移動されたか否かを判別して、記録再生装置が設置場所から移動されたか否かを判別するようにしているので、記録再生装置が設置場所から所定距離以上移動された場合、記録再生装置の所在地をユーザに通知することができ、記録再生装置の移動距離が所定距離以内であれば、ユーザが自宅内で記録再生装置の設置場所を好みの場所に自由に移動させることができる。
請求項４記載の発明に係る記録再生装置によれば、記録再生装置が設置場所から移動されたと判別されたとき、所定時間経過する毎に、記録再生装置の所在地の位置情報をＧＰＳにより受信して、記録再生装置の所在地の位置情報を送信するようにしているので、充電式電池の消費電力を抑制して、記録再生装置の所在地の位置情報を長時間にわたってユーザに通知することができる。
請求項５記載の発明に係る記録再生装置によれば、ユーザにより予め設定されたパスワードを入力することにより、記録再生装置の所在地の位置情報を送信する送信モードをＯＦＦにするようにしているので、引越し等で記録再生装置を他の場所に移動させる場合、ユーザが予め設定したパスワードを入力することにより、記録再生装置が移動された場合に、記録再生装置の所在地の位置情報を送信する送信モードをＯＦＦにすることができる。
請求項６記載の発明に係る記録再生装置によれば、記録再生装置のシステムをリセットすることにより、記録再生装置の所在地の位置情報を送信する送信モードをＯＮにするようにしているので、記録再生装置を設置場所に設置した後、記録再生装置が移動されたとき、記録再生装置の所在地の情報を送信して、記録再生装置の所在地をユーザに通知することができる。
【発明を実施するための最良の形態】
【０００６】
以下、適宜図面を参照しながら本発明を実施するための最良の形態を詳述する。図１は本発明の一実施例の記録再生装置の構成を示すブロック図であり、図２は本発明の一実施例の記録再生装置の動作を示す説明図であり、図３は本発明の一実施例の記録再生装置の動作を示すフローチャートである。
まず、図１の本発明の一実施例の記録再生装置の構成を示すブロック図を基に説明する。
記録再生装置１は、アンテナ２ａにより受信されたテレビ放送電波から選択されたチャンネルのテレビ放送を受信するチューナ２と、チューナ２により受信されたテレビ放送の受信信号を検波して映像音声信号を増幅する検波増幅回路３と、検波増幅回路３により検波され増幅されたテレビ放送の映像音声信号を記録媒体（図示せず）に記録再生するとともに、外部入力端子（図示せず）から入力された映像音声信号を記録媒体に記録再生する記録再生部４と、記録再生装置１のシステム全体を制御するマイコン５と、衛星からの記録再生装置１の所在地の位置情報の電波をアンテナ６ａにより受信するＧＰＳ６と、記録再生装置１の所在地の位置情報の電波をアンテナ７ａから送信する送信部７と、複数の地域毎の受信可能なテレビ放送のチャンネルテーブルが格納されたＲＯＭ（Ｒｅａｄ−Ｏｎｌｙ  Ｍｅｍｏｒｙ）８と、日付と時刻とを管理し、経過時間を計時する時計回路９と、リモコン装置２０から送信された赤外線信号のリモコン信号を受信して、所定の電気信号に変換するリモコン受信部１０と、コンセントからの商用交流電力の供給の有無を検出する停電検出回路１１と、コンセントからの商用交流電源の供給が停止して停電したときに、充電式電池（図示せず）から電力を供給して、記録再生装置１のマイコン５、ＧＰＳ６、送信部７、時計回路９の電源をバックアップするバックアップ電源回路１２とで構成されている。
以上のように構成された記録再生装置について、以下その動作について説明する。
記録再生装置１の電源がＯＮになり、リモコン装置２０のキー操作により記録再生装置１のシステムのリセットが指令されると、マイコン５は、ＧＰＳ６に制御信号を送出して、記録再生装置１の設置場所の位置情報をＧＰＳ６により受信して、ＧＰＳ６により受信された位置情報に基づいてＲＯＭ８に格納されているその地域で受信可能なテレビ放送のチャンネルテーブルを読み出し、記録再生装置１のテレビ放送の受信チャンネルを設定して、記録再生装置１が移動された場合に、記録再生装置１の所在地の位置情報を送信する送信モードをＯＮにする。
記録再生装置１の電源コードがコンセントから外されて（いずれも図示せず）、コンセントから供給されていた商用交流電力の供給がなくなり、記録再生装置１の電源がＯＦＦになると、停電検出回路１１により停電が検出されて、バックアップ電源回路１２の充電式電池から記録再生装置１のマイコン５、ＧＰＳ６、送信部７、時計回路９に電力が供給され、記録再生装置１のマイコン５、ＧＰＳ６、送信部７、時計回路９の電源がバックアップされる。停電検出回路１１からの停電信号を受けると、マイコン５は、ＧＰＳ６に制御信号を送出して、記録再生装置１の所在地の位置情報をＧＰＳ６により受信し、記録再生装置１が設置場所から所定距離以上、即ち、所定範囲Ａ（図２参照）より外に移動されたか否かを判別する。
記録再生装置１が設置場所から所定距離以上移動された場合、例えば、記録再生装置１が設置場所から１０ｍ以上移動された場合、マイコン５は、時計回路９により計時された時間が所定時間、例えば、３分経過する毎に、ＧＰＳ６に制御信号を送出して、記録再生装置１の所在地の位置情報をＧＰＳ６により受信し、送信部７に制御信号を送出して、記録再生装置１の所在地の位置情報の電波を送信部７によりアンテナ７ａから携帯電話中継基地局（図示せず）に送信する。これにより、記録再生装置１が盗難等によりユーザに無断で設置場所から移動され、記録再生装置１の設置場所から所定距離以上移動された場合に、所定時間間隔で送信部７から記録再生装置１の所在地の位置情報を送信するようにしているので、バックアップ電源回路１２の充電式電池の消費電力を抑制して、記録再生装置１の所在地の位置情報を長時間にわたってユーザに通知することができる。また、記録再生装置１の移動距離が所定距離以内であれば、記録再生装置１の所在地の位置情報を送信する送信モードをＯＦＦにせずに、ユーザが自宅内で記録再生装置１の設置場所を好みの場所に自由に移動させることができる。なお、引越し等で記録再生装置１を他の場所に移動させる場合、ユーザがリモコン装置２０のキー操作をして、ユーザが予め設定したパスワードを入力することにより、記録再生装置１が移動された場合に、記録再生装置１の所在地の位置情報を送信する送信モードをＯＦＦにすることができるので、引越し先に移動させることができるようになっている。
また、図３の本発明の一実施例の記録再生装置の動作を示すフローチャートを基に説明する。
記録再生装置の電源がＯＮになり、リモコン装置のキー操作により記録再生装置のシステムのリセットが指令されると、ステップＳ１からステップＳ２に進み、ステップＳ２で、記録再生装置の設置場所の位置情報がＧＰＳにより受信されて、受信された記録再生装置の設置場所の位置情報に基づいてＲＯＭに格納されているその地域でテレビ放送の受信可能なチャンネルテーブルが読み出されて記録再生装置の受信チャンネルが設定され、記録再生装置が移動された場合に、記録再生装置の所在地の位置情報を送信する送信モードがＯＮにされて、ステップＳ３に進む。
ステップＳ３で、リモコン装置のキー操作によりユーザが予め設定したパスワードが入力されたか否かが判断され、ユーザが予め設定したパスワードが入力された場合、ステップＳ９に進み、ユーザが予め設定したパスワードが入力されていない場合、ステップＳ４に進む。
ステップＳ４で、記録再生装置の電源コードがコンセントから外されて、コンセントから供給されていた商用交流電力の供給がなくなって記録再生装置の電源がＯＦＦになったか否かが判断され、記録再生装置の電源がＯＦＦになった場合、ステップＳ５に進み、記録再生装置の電源がＯＦＦになっていない場合、ステップＳ３に戻って、ステップＳ３からのステップを繰り返す。
ステップＳ５で、バックアップ電源回路の充電式電池から記録再生装置のマイコン、ＧＰＳ、送信部、時計回路に電力が供給されて、記録再生装置のマイコン、ＧＰＳ、送信部、時計回路の電源がバックアップされ、ステップＳ６に進む。
ステップＳ６で、記録再生装置が設置場所から所定距離以上移動されたか否かが判断され、記録再生装置が設置場所から所定距離以上移動された場合、ステップＳ７に進み、記録再生装置が設置場所から所定距離以上移動されていない場合、ステップＳ６からのステップを繰り返す。
ステップＳ７で、所定時間経過したか否かが判断され、所定時間経過した場合、ステップＳ８に進み、所定時間が経過していない場合、ステップＳ７からのステップを繰り返す。
ステップＳ８で、記録再生装置の現在の所在地の位置情報の電波が送信部によりアンテナから送信され、ステップＳ７に戻って、ステップＳ７からのステップを繰り返す。
ステップＳ９で、記録再生装置が移動された場合に、記録再生装置の所在地の位置情報を送信する送信モードがＯＦＦにされ、ステップＳ１０に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例の記録再生装置の構成を示すブロック図である。
【図２】本発明の一実施例の記録再生装置の動作を示す説明図である。
【図３】本発明の一実施例の記録再生装置の動作を示すフローチャートである。
【符号の説明】
【０００８】
１  記録再生装置
２  チューナ
２ａ  アンテナ
３  検波増幅回路
４  記録再生部
５  マイコン
６  ＧＰＳ
６ａ  アンテナ
７  送信部
７ａ  アンテナ
８  ＲＯＭ
９  時計回路
１０  リモコン受信部
１１  停電検出回路
１２  バックアップ電源回路
２０  リモコン装置
【図１】
2006217136.tif 000003
【図２】
2006217136.tif 000004
【図３】
2006217136.tif 000005